(57)【要約】【課題】簡易な構成でケース蓋を左右の両方に開閉でき、使い勝手に優れ且つコストを低減し得る電子機器ケースの蓋体開閉構造を提供する。【解決手段】上面を開口したケース本体２１は、上部両側に帯状のレール２３を備える。各レール２３には両端に下方に突出する係合突部２４ａ、２４ｂを設け、その前面に係合溝２６ａ、２６ｂを設ける。ケース蓋２２の第１の側板３１ａ、３１ｂには、下側両端に第１のガイドピン３３ａ、３３ｂを設け、ケース蓋２２の第２の側板３２ａ、３２ｂには内側下端部の両端近傍に第２のガイドピン３４ａ、３４ｂを設ける。ケース蓋２２は、ケース本体２１に装着した際、第１のガイドピン３３ａ、３３ｂが係合溝２６ａ、２６ｂに係合してロックし、左右何れかの端部を上方に持ち上げるとロックが解除し、第１のガイドピン３３ａ、３３ｂと第２のガイドピン３４ａ、３４ｂによりレール２３を挟んで移動可能となる。【選択図】図１
2011103345.tif 000002
【特許請求の範囲】
【請求項１】
上部を開口したケース本体と、前記ケース本体の上部に開閉可能に設けられるケース蓋と、前記ケース本体の上部両側に沿って側部に突出して設けられる帯状のレールと、前記各レールの両端部にそれぞれ下方に突出して設けられる係合突部と、前記各係合突部の前面に設けられる係合溝と、前記ケース蓋を構成する側板の内側に設けられ、該ケース蓋を前記ケース本体に装着した状態において前記各係合突起の各係合溝にそれぞれ係合する第１のガイドピンと、前記ケース蓋を構成する側板の内側において前記各第１のガイドピンに対応して設けられる第２のガイドピンとを具備し、
前記ケース蓋は、前記ケース本体に装着された際に前記第１のガイドピンがそれぞれ前記各係合溝に係合してロックされ、左右何れかの端部を上方に移動させて前記第１のガイドピンと前記係合溝との係合を外すと前記ロックが解除され、前記上方に移動させた側に設けられている前記第１のガイドピンと前記第２のガイドピンにより前記レールを挟んでスライド移動できるように構成したことを特徴とする電子機器ケースの蓋体開閉構造。
【発明の詳細な説明】
【技術分野】
【０００１】
本発明は、左右どちらにも開閉する電子機器ケースの蓋体開閉構造に関する。
【背景技術】
【０００２】
一般家庭等において使用するテレビ受信用電子機器、例えばテレビ受信アンテナにより受信したテレビ放送波を増幅してテレビ受像機に供給する増幅器（ブースタ）や、テレビ受信アンテナにより受信したテレビ放送波または上記増幅器（ブースタ）で増幅した信号を複数のテレビ受像機に分配する分配器、あるいはＵＨＦアンテナやＢＳアンテナ等の複数のアンテナにより受信した信号を混合してテレビ受像機に供給する混合器などの電子機器は、合成樹脂等を用いて形成した電子機器ケースに収納して使用している（例えば、特許文献１参照。）。
【０００３】
上記電子機器ケースにおけるケース蓋の開閉機構は、従来では図７（ａ）、（ｂ）に示すように上面を開口したケース本体１１の上側部の一方において、ケース本体１１とケース蓋１２との間に軸と軸受けによる回転機構１３ａ、１３ｂを設け、該回転機構１３ａ、１３ｂを中心としてケース蓋１２を回転させて開閉する回転式開閉機構や、図８（ａ）、（ｂ）に示すようにケース本体１１の上端両側部に凸型レール１５ａ、１５ｂを設けると共にケース蓋１２の両側部に上記凸型レール１５ａ、１５ｂに嵌合する溝型レール１６ａ、１６ｂを設け、該ケース蓋１２の溝型レール１６ａ、１６ｂをケース本体の凸型レール１５ａ、１５ｂに沿ってスライドさせて開閉するスライド式開閉機構が用いられている。
【０００４】
上記図７は従来の回転式開閉機構を用いた電子機器ケースを示したもので、（ａ）はケース蓋１２を閉じた状態を示す斜視図、（ｂ）はケース蓋１２を開いた状態を示す斜視図である。図８は従来のスライド式開閉機構を用いた電子機器ケースを示したもので、（ａ）はケース蓋１２を閉じた状態を示す斜視図、（ｂ）はケース蓋１２を途中まで開いた状態を示す斜視図である。
【０００５】
上記電子機器ケース内に電子機器を収納して使用する場合、設置場所がケース蓋１２の開閉に対して狭くて充分な余裕がとれない場合には、ケース蓋１２を左あるいは右側の一方だけでなく、左右の両方に開閉できた方が便利である。
【０００６】
しかし、上記図７に示した回転式開閉機構では、回転機構１３ａ、１３ｂを設けたケース本体１１の一方の側部においてケース蓋１２を回転させて開閉する構成となっており、他方の側部においてもケース蓋１２を開閉可能とするためには他方の側に回転機構を設ける必要があり、構成が複雑になる。
【０００７】
また、上記図８に示したスライド式開閉機構では、ケース本体１１に対して中央位置と左側位置あるいは右側位置との間でスライドによるケース蓋１２の開閉が可能な構成となっており、他方の側部においてもケース蓋１２を開閉可能とするためには他方の側にスライドを可能とする機構を設ける必要がある。
【先行技術文献】
【特許文献】
【０００８】
【特許文献１】実開平３−６８７４号公報
【発明の概要】
【発明が解決しようとする課題】
【０００９】
上記のように従来の電子機器ケースにおけるケース蓋１２の開閉構造は、一般的に左あるいは右側の一方のみにケース蓋１２を開閉できるようになっており、左右の両方においてケース蓋１２を開閉可能にするためには構成が複雑になり、部品点数が増加すると共に形状が複雑化し、高い組込み精度や調整などが求められている。
【００１０】
本発明は上記の課題を解決するためになされたもので、簡易な構成でケース本体に対して左右の両方にケース蓋を開閉でき、ケースの配置や設置場所等の自由度が拡がって使い勝手に優れ、且つ部品点数を減少してコストを低減し得る電子機器ケースの蓋体開閉構造を提供することを目的とする。
【課題を解決するための手段】
【００１１】
本発明に係る電子機器ケースの蓋体開閉構造は、上部を開口したケース本体と、前記ケース本体の上部に開閉可能に設けられるケース蓋と、前記ケース本体の上部両側に沿って側部に突出して設けられる帯状のレールと、前記各レールの両端部にそれぞれ下方に突出して設けられる係合突部と、前記各係合突部の前面に設けられる係合溝と、前記ケース蓋を構成する側板の内側に設けられ、該ケース蓋を前記ケース本体に装着した状態において前記各係合突起の各係合溝にそれぞれ係合する第１のガイドピンと、前記ケース蓋を構成する側板の内側において前記各第１のガイドピンに対応して設けられる第２のガイドピンとを具備し、
前記ケース蓋は、前記ケース本体に装着された際に前記第１のガイドピンがそれぞれ前記各係合溝に係合してロックされ、左右何れかの端部を上方に移動させて前記第１のガイドピンと前記係合溝との係合を外すと前記ロックが解除され、前記上方に移動させた側に設けられている前記第１のガイドピンと前記第２のガイドピンにより前記レールを挟んでスライド移動できるように構成したことを特徴とする。
【発明の効果】
【００１２】
本発明によれば、ケース本体に対してケース蓋を左右何れの方向にも容易に開閉でき、設置場所の自由度が拡がって使い勝手に優れ、また、非常に簡易な構成で部品点数を減少してコストの低下を図ることができる。
【図面の簡単な説明】
【００１３】
【図１】本発明の実施例１に係る電子機器ケースの構成を示し、（ａ）はケース蓋を開いた状態を示す斜視図、（ｂ）はケース蓋の内側を示す斜視図である。
【図２】同実施例１におけるケース本体に設けられたレールとケース蓋に設けられたガイドピンとの関係を模式的に示したもので、（ａ）はケース本体にケース蓋を装着してロックした状態を示す図、（ｂ）はケース本体に対するケース蓋のロックを解除した状態を示す図、（ｃ）は主要部の寸法例を説明するための図である。
【図３】同実施例１において、ケース蓋を開閉する際の過程を示し、（ａ）はケース本体にケース蓋を装着した状態を示す斜視図、（ｂ）はケース蓋のロックを解除した状態を示す斜視図、（ｃ）はケース蓋を開閉している途中の状態を示す斜視図、（ｄ）はケース蓋を最大開口状態まで開いた状態を示す斜視図である。
【図４】同実施例１におけるケース蓋を開閉する際の過程において、ケース本体に設けられたレールとケース蓋に設けられた第１のガイドピン及び第２のガイドピンとの関係を模式的に示したもので、（ａ）はケース本体にケース蓋を装着した状態を示す図、（ｂ）はケース蓋のロックを解除した状態を示す図、（ｃ）はケース蓋を開閉している途中の状態を示す図、（ｄ）はケース蓋を最大開口状態まで開いた状態を示す図である。
【図５】同実施例１において、ケース本体のレール先端に設けた係合突部の他の形状例を示す図である。
【図６】同実施例１で示した電子機器ケース内に電子機器を収納した場合の例を示す斜視図である。
【図７】従来の回転式開閉機構を用いた電子機器ケースを示し、（ａ）はケース蓋を閉じた状態を示す斜視図、（ｂ）はケース蓋を開いた状態を示す斜視図である。
【図８】従来のスライド式開閉機構を用いた電子機器ケースを示し、（ａ）はケース蓋を閉じた状態を示す斜視図、（ｂ）はケース蓋を途中まで開いた状態を示す斜視図である。
【発明を実施するための形態】
【００１４】
以下、本発明の実施の形態について図面を参照して詳細に説明する。
【実施例１】
【００１５】
図１は本発明の実施例１に係る電子機器ケースの蓋体開閉構造を示すもので、（ａ）はケース蓋を開いた状態を示す斜視図、（ｂ）はケース蓋の内側を示す斜視図である。図２は図１におけるケース本体に設けられたレールとケース蓋に設けられたガイドピンとの関係を模式的に示したもので、（ａ）はケース本体にケース蓋を装着してロックした状態を示す図、（ｂ）はケース本体に対するケース蓋のロックを解除した状態を示す図、（ｃ）は主要部の寸法例を説明するための図である。
【００１６】
図１及び図２において、２０は電子機器ケースで、例えば箱状に形成されたケース本体２１とケース蓋２２とによって構成される。上記ケース本体２１は上面が開口しており、該開口部にケース蓋２２がスライド操作によって開閉可能に設けられる。上記電子機器ケース２０は、例えばＡＢＳ樹脂等の合成樹脂を用いて形成される。
【００１７】
上記ケース本体２１には、上部両側に帯状のレール２３が側方に所定幅突出して設けられる。また、各レール２３の両端には下方に突出する係合突部２４ａ、２４ｂが設けられる。上記ケース本体２１の左右両側面の上端、少なくともレール２３の両端角部は滑らかに変化するように円弧状に形成されると共に、レール２３と係合突部２４ａ、２４ｂとの接合内角部分に傾斜面２５ａ、２５ｂが設けられる。また、係合突部２４ａ、２４ｂの前面には、それぞれ下端部に近接して係合溝２６ａ、２６ｂが設けられる。この係合溝２６ａ、２６ｂは、側面から見て略半円状に形成される。
【００１８】
一方、ケース蓋２２は、前後に第１の側板３１ａ、３１ｂを備えると共に、両側すなわちケース本体２１のレール２３に対応する側に第２の側板３２ａ、３２ｂを備える。第１の側板３１ａ、３１ｂは、上下方向の幅が第２の側板３２ａ、３２ｂより短く設定され、その下側両端にそれぞれ第１のガイドピン３３ａ、３３ｂが設けられる。この第１のガイドピン３３ａ、３３ｂは、ケース蓋２２をケース本体２１に装着した状態ではケース本体２１に設けた係合溝２６ａ、２６ｂに係合してケース蓋２２をケース本体２１にロックし、また、ケース本体２１に対してケース蓋２２を開閉する際にはケース本体２１に設けたレール２３上に沿ってスライド移動する。
【００１９】
また、上記第２の側板３２ａ、３２ｂの内側下端部には、両端部に近接する位置に第２のガイドピン３４ａ、３４ｂが設けられる。第２のガイドピン３４ａ、３４ｂは、ケース蓋２２をケース本体２１に装着した状態では、ケース本体２１のレール２３に形成した係合突部２４ａ、２４ｂの内側に近接した位置に設けられる。
【００２０】
上記レール２３に対する第１のガイドピン３３ａ、３３ｂ及び第２のガイドピン３４ａ、３４ｂの位置関係や寸法等については詳細を後述する。
【００２１】
上記のように構成された電子機器ケース２０は、図２（ａ）に示すようにケース本体２１上にケース蓋２２を装着した状態では、第１のガイドピン３３ａ、３３ｂがケース本体２１の係合溝２６ａ、２６ｂに係合されてロックされた状態となっている。この状態でケース蓋２２を開く場合は、ケース蓋２２の左右何れかの端部、例えば図２（ｂ）に示すようにケース蓋２２の図示右側の端部を上方に持ち上げる。このときケース蓋２２は、係合溝２６ｂに係合している左端側の第１のガイドピン３３ｂを回転中心として右端部が上方に回動し、第１のガイドピン３３ａがケース本体２１の係合溝２６ａから外れてロックが解除される。
【００２２】
また、ケース蓋２２の右側端部を上方に持ち上げた際、右端側の第２のガイドピン３４ａが係合突部２４ａの内側の傾斜面２５ａに沿って上方に移動し、レール２３の下側面に当接してケース蓋２２の上方への移動を規制する。このとき上記ロックが解除された第１のガイドピン３３ａは、レール２３の上側端部に移動し、第２のガイドピン３４ａとの間でレール２３を挟んだ状態となる。この状態で、ケース蓋２２に対して左方へ力を加えることにより、ケース蓋２２をレール２３に沿ってスライド移動させることができる。
【００２３】
次に上記ケース本体２１及びケース蓋２２における主要部の寸法例について説明する。
【００２４】
図２（ｃ）に示すようにケース蓋２２に設けた第１のガイドピン３３ａ、３３ｂと第２のガイドピン３４ａ、３４ｂとの間隔をＡとしたとき、第１のガイドピン３３ａ、３３ｂ及び第２のガイドピン３４ａ、３４ｂの直径φは「Ａ／２（±１０％）」に設定する。
【００２５】
レール２３の係合突部２４ａ、２４ｂに設ける係合溝２６ａ、２６ｂの深さαの値は、ケース蓋２２の開閉力及び電子機器ケース２０の材質の弾性率により適宜設定する。例えば電子機器ケース２０の材質としてＡＢＳ樹脂（弾性率：２０００〜３０００ＭＰａ）を使用し、ケース蓋２２の開閉力を約１５Ｎ．ｍ（約１．５３ｋｇｆ．ｍ）、第１のガイドピン３３ａ、３３ｂと第２のガイドピン３４ａ、３４ｂとの間隔Ａを「２ｍｍ」としたとき、係合溝２６ａ、２６ｂの深さαは約「０．５〜１ｍｍ」に設定する。
【００２６】
また、第１のガイドピン３３ａ、３３ｂと第２のガイドピン３４ａ、３４ｂの水平方向の間隔Ｂは、「Ａ／２（−１０％〜＋３０％）」に設定する。
【００２７】
第１のガイドピン３３ａ、３３ｂと第２のガイドピン３４ａ、３４ｂの垂直方向の間隔Ｃは、「Ａ／２（＋１０％〜−３０％）」に設定する。
【００２８】
また、レール２３の厚さｔは「Ａ／２（＋１０％〜−５０％）」に設定するが、その最小寸法は「０．６ｍｍ以上必要である。また、レール２３の角部分の厚さ、すなわちレール２３の両端の角とその内側の傾斜面２５ａ、２５ｂとの間の厚さは、「Ａ＋α」に設定する。
【００２９】
また、図２（ａ）に示す第１のガイドピン３３ａ、３３ｂ間の中心間隔（軸間距離）Ｘは、該ガイドピン３３ａ、３３ｂの直径φに対して所定の比率で設定する。すなわち、ケース蓋２２の開閉を行う際、第１のガイドピン３３ａ、３３ｂの一方を軸中心とした半径の軌跡（円弧）がレール２３の角を乗り越える必要があること、また、実用上の開閉力を考慮することで、第１のガイドピン３３ａ、３３ｂ間の中心間隔Ｘが限定される。例えば第１のガイドピン３３ａ、３３ｂの直径φを「Ａ／２」としたとき、第１のガイドピン３３ａ、３３ｂ間の中心間隔Ｘは「１５Ａ」となり、第１のガイドピン３３ａ、３３ｂの直径φと中心間隔Ｘは「１：３０」の比を持つ。
【００３０】
次に上記のように構成された電子機器ケースの蓋体開閉構造において、ケース本体２１に対してケース蓋２２を開閉する際の動作を図３及び図４を参照して説明する。
【００３１】
図３はケース本体２１に対してケース蓋２２を開閉する際の過程を示したもので、（ａ）はケース本体２１にケース蓋２２を装着した状態を示す斜視図、（ｂ）はケース蓋２２のロックを解除した状態を示す斜視図、（ｃ）はケース蓋２２を開閉している途中の状態を示す斜視図、（ｄ）はケース蓋２２を最大開口状態まで開いた状態を示す斜視図である。
【００３２】
図４はケース本体２１に対してケース蓋２２を開閉する際の過程において、ケース本体２１に設けられたレール２３とケース蓋２２に設けられた第１のガイドピン３３ａ、３３ｂ及び第２のガイドピン３４ａ、３４ｂとの関係を模式的に示したもので、（ａ）はケース本体２１にケース蓋２２を装着した状態を示す図、（ｂ）はケース蓋２２のロックを解除した状態を示す図、（ｃ）はケース蓋２２を開閉している途中の状態を示す図、（ｄ）はケース蓋２２を最大開口状態まで開いた状態を示す図である。
【００３３】
図３（ａ）及び図４（ａ）に示すようにケース本体２１にケース蓋２２を装着した状態においては、ケース蓋２２はケース本体２１のレール２３上に載置され、第１のガイドピン３３ａ、３３ｂがケース本体２１の係合溝２６ａ、２６ｂに係合されてロックされた状態となっている。このときケース蓋２２に設けられた第２のガイドピン３４ａ、３４ｂは、ケース本体２１のレール２３の両端に設けられた係合突部２４ａ、２４ｂの内側下方に位置し、他の部材とは接触していない。
【００３４】
上記ケース本体２１に装着されているケース蓋２２を開く場合は、ケース蓋２２の左右何れかの端部、例えば図３（ｂ）及び図４（ｂ）に示すようにケース蓋２２の図示右側の端部を上方に持ち上げる。このときケース蓋２２は、係合溝２６ｂに係合している左端側の第１のガイドピン３３ｂを回転中心として右端部が上方に回動し、第１のガイドピン３３ａがケース本体２１の係合溝２６ａから外れてロックが解除される。また、ケース蓋２２の右側端部を上方に持ち上げた際、右端側の第２のガイドピン３４ａが係合突部２４ａの傾斜面２５ａに沿って上方に移動し、レール２３の下側面に当接してケース蓋２２の上方への移動を規制する。このとき上記ロックが解除された第１のガイドピン３３ａは、レール２３の上側端部に移動する。従って、ケース蓋２２は、右端側の第１のガイドピン３３ａと第２のガイドピン３４ａとの間でレール２３を挟んだ状態となる。
【００３５】
次に上記ロックを解除したケース蓋２２に対して図３（ｃ）及び図４（ｃ）に示すように図示左端方向に力を加えると、ケース蓋２２は右端側の第１のガイドピン３３ａと第２のガイドピン３４ａとの間でレール２３を挟んだまま左方向にスライドして水平移動する。このときケース蓋２２の第２の側板３２ａ、３２ｂは、レール２３の外側に位置し、ケース蓋２２の横方向への移動、すなわちレール２３と直交する方向への移動を規制する。そして、ケース蓋２２がケース本体２１の左端まで移動すると、第２のガイドピン３４ａがレール２３の左端側の傾斜面２５ｂに当接して停止する。
【００３６】
この状態でケース蓋２２に対して下方向への力を加えると（あるいはケース蓋２２の自重により）、ケース蓋２２は図３（ｄ）及び図４（ｄ）に示すようにレール２３の左端内側の傾斜面２５ｂに当接している第２のガイドピン３４ａを中心軸として反時計方向に回動する。そして、ケース蓋２２を略垂直となるまで回動して停止させると、第１のガイドピン３３ａがレール２３の左端上部に位置し、ケース蓋２２がレール２３から外れるのを阻止する。このときケース蓋２２から手を離しても、ケース蓋２２は自重により略垂直状態に保持され、ケース本体２１は上部開口部を全開した状態となる。
【００３７】
なお、上記図３（ｄ）及び図４（ｄ）の状態からケース蓋２２を更に反時計方向に強制的に回転させると、第１のガイドピン３３ａがレール２３の左端上部から左側部に移動し、ケース蓋２２をケース本体２１から取外すことができる。
【００３８】
また、図３（ｄ）及び図４（ｄ）の状態からケース蓋２２の下端部を持ち上げて時計方向に回転させると、すなわち、以上説明した図３（ａ）〜（ｄ）及び図４（ａ）〜（ｄ）の操作を逆に行うことにより、ケース蓋２２をケース本体２１上に戻してロックすることができる。
【００３９】
上記図３（ａ）〜（ｄ）及び図４（ａ）〜（ｄ）では、ケース本体２１に対してケース蓋２２を左方向に開く場合について説明したが、図３（ａ）及び図４（ａ）の状態からケース蓋２２の左端側を持ち上げてロックを外し、右方向へ力を加えることにより、上記の場合と同様にしてケース蓋２２を右方向に開くことができる。
【００４０】
上記のように電子機器ケース２０は、左右対称に構成されており、ケース本体２１に対してケース蓋２２を左右何れの方向にも容易に開閉できるので、設置場所の自由度が拡がって使い勝手に優れている。また、上記電子機器ケース２０は、非常に簡易な構成であり、部品点数を減少してコストの低下を図ることができる。
【００４１】
なお、ケース本体２１のレール２３先端に設けた係合突部２４ａ、２４ｂは、上記実施例１で示した形状に限定されるものではなく、その他、例えば図５（ａ）〜（ｃ）に示すような形状とすることも可能である。
【００４２】
図５（ａ）はレール２３と係合突部２４ａ、２４ｂとの内側角部に設けた傾斜面２５ａ、２５ｂを下方に延長し、係合突部２４ａ、２４ｂの下部先端の内側角部をカットした形状となっている。
【００４３】
図５（ｂ）は、同図（ａ）において、係合突部２４ａ、２４ｂの下側部を係合溝２６ａ、２６ｂの下側位置で水平にカットした形状となっている。
【００４４】
図５（ｃ）は、同図（ａ）において、係合突部２４ａ、２４ｂの下側部を係合溝２６ａ、２６ｂの中央位置で水平にカットした形状となっている。このとき係合溝２６ａ、２６ｂは、１／４の円弧状となるが、この形状においても第１のガイドピン３３ａ、３３ｂと係合してケース蓋２２をロックした状態に保持することが可能である。
【００４５】
また、上記実施例１では、レール２３と係合突部２４ａ、２４ｂとの間の内側角部に傾斜面２５ａ、２５ｂを設けた場合について示したが、その他、例えば係合突部２４ａ、２４ｂの内側全体をテーパ状に、すなわち下側先端側の幅が狭くなるようにテーパ状に形成しても、上記実施例１で示した傾斜面２５ａ、２５ｂと同等の作用を持たせることができる。
【００４６】
また、上記実施例１では、ケース本体２１の両側上部に設けたレール２３を直線状に形成した場合について示したが、その他、例えばレール２３及びケース蓋２２の中央部分が高くなるように円弧状に形成しても上記実施例１と同様にしてケース蓋２２を左右両方向に開閉することが可能である。
【００４７】
また、上記実施例１では、第１のガイドピン３３ａ、３３ｂをケース蓋２２の第１の側板３１ａ、３１ｂに設けた場合について示したが、第２の側板３２ａ、３２ｂ側に第１のガイドピン３３ａ、３３ｂを設けてもよい。
【００４８】
図６は、上記実施例１で示した電子機器ケース２０内に電子機器として例えば分配器４０を収納した場合の例を示したものである。上記分配器４０は、例えばテレビ受信アンテナで受信したテレビ放送波を２分配してテレビ受像機に供給するための２分配器であり、その入出力端子には信号入力用の同軸ケーブル４１ａ及び信号出力用の同軸ケーブル４１ｂ、４１ｃが接続される。このため電子機器ケース２０には、ケース本体２１の側面にケーブル挿通穴３５ａ、３５ｂ、３５ｃを設けている。上記同軸ケーブル４１ａ、４１ｂ、４１ｃは、ケース本体２１に設けたケーブル挿通穴３５ａ、３５ｂ、３５ｃからケース内に挿入し、分配器４０の入出力端子に接続する。
【００４９】
上記のように電子機器ケース２０内に分配器４０等の電子機器を収納する場合、ケース蓋２２は左右何れの方向にも開閉することができるので、電子機器の設置場所に余裕が無く、ケース蓋２２を左あるいは右の一方向にしか開けないような場所であっても容易に設置することが可能である。
【００５０】
なお、本発明は、上記実施の形態そのままに限定されるものではなく、実施段階ではその要旨を逸脱しない範囲で構成要素を変形して具体化できるものである。
【符号の説明】
【００５１】
２０…電子機器ケース、２１…ケース本体、２２…ケース蓋、２３…レール、２４ａ、２４ｂ…係合突部、２５ａ、２５ｂ…傾斜面、２６ａ、２６ｂ…係合溝、３１ａ、３１ｂ…ケース蓋の第１の側板、３２ａ、３２ｂ…ケース蓋の第２の側板、３３ａ、３３ｂ…第１のガイドピン、３４ａ、３４ｂ…第２のガイドピン、３５ａ、３５ｂ、３５ｃ…ケーブル挿通穴、４０…分配器、４１ａ、４１ｂ、４１ｃ…同軸ケーブル。
【図１】
2011103345.tif 000003
【図２】
2011103345.tif 000004
【図３】
2011103345.tif 000005
【図４】
2011103345.tif 000006
【図５】
2011103345.tif 000007
【図６】
2011103345.tif 000008
【図７】
2011103345.tif 000009
【図８】
2011103345.tif 000010